(57)【要約】  結束パック（２０）は、底部、側壁、及び受け皿の縦軸線を有する受け皿（２４）を含む。複数の包装済み製品（２２）が、受け皿内に置かれ、包装済み製品各々は、製品の縦軸線（３２）及び製品の横軸線（３４）を有する。各々の製品の縦軸線が受け皿の縦軸線に対して製品角度アルファを形成するように、複数の包装済み製品は、各々が受け皿に角度を持って配置される。【選択図】図１
2009511368.tif 000002
【特許請求の範囲】
【請求項１】
底部と側壁と受け皿縦軸とを有する受け皿と、
前記受け皿内に配置された、製品縦軸線と製品横軸線とを各々が有する複数の包装済み製品と、
を含み、
前記複数の包装済み製品は、各々の製品縦軸線が、前記受け皿縦軸線に対して製品角度αを形成するように、前記受け皿内に角度を持って配置されることを特徴とする結束パック。
【請求項２】
各々の包装済み製品における前記製品角度αは、約１０度ないし約８０度であることを特徴とする請求項１に記載の結束パック。
【請求項３】
各々の包装済み製品における前記製品角度αは、約３０度ないし約６０度であることを特徴とする請求項１に記載の結束パック。
【請求項４】
前記包装済み製品は、前記受け皿縦軸線に対して、正の製品角度及び負の製品角度の両方で配置されることを特徴とする請求項１に記載の結束パック。
【請求項５】
前記複数の包装済み製品は、前記製品縦軸線に沿った長い方の寸法と、前記製品横軸線に沿った短い方の寸法とを有することを特徴とする請求項１に記載の結束パック。
【請求項６】
前記複数の包装済み製品の各々は、楕円形状の側壁を有することを特徴とする請求項５に記載の結束パック。
【請求項７】
前記複数の包装済み製品は、ティッシュディスペンサーを含むことを特徴とする請求項１に記載の結束パック。
【請求項８】
前記複数の包装済み製品は、ティッシュディスペンサーを含むことを特徴とする請求項６に記載の結束パック。
【請求項９】
前記底部は、少なくとも１つの斜めになった隅部を有する、実質的に長方形であることを特徴とする請求項１に記載の結束パック。
【請求項１０】
前記底部は、２つの対向する斜めになった隅部を有する、実質的に長方形であることを特徴とする請求項１に記載の結束パック。
【請求項１１】
前記底部は、２つの対向する斜めになった隅部を有する、実質的に長方形であることを特徴とする請求項８に記載の結束パック。
【請求項１２】
前記結束パックは、１８０度回転対称であることを特徴とする請求項１に記載の結束パック。
【請求項１３】
底部と側壁とを含む受け皿であって、前記底部は、実質的に長方形で、少なくとも１つの斜めになった隅部を有することを特徴とする受け皿。
【請求項１４】
前記底部は、実質的に長方形であって、２つの対向する斜めになった隅部を有することを特徴とする請求項１３に記載の受け皿。
【請求項１５】
前記側壁は、前部側壁と、後部側壁と、右側壁と、左側壁とを含み、前記後部側壁が前記右側壁と交わる隅部は傾斜し、前記後部側壁が前記左側壁と交わる隅部は傾斜ていることを特徴とする請求項１４に記載の受け皿。
【請求項１６】
前記側壁は、前部側壁と、後部側壁と、右側壁と、左側壁とを含み、前記前部側壁が前記右側壁と交わる隅部は傾斜し、前記後部側壁が前記左側壁と交わる隅部は傾斜していることを特徴とする請求項１４に記載の受け皿。
【請求項１７】
前記斜めになった隅部は、約１０度ないし約８０度の隅部角度からなることを特徴とする請求項１３に記載の受け皿。
【請求項１８】
各々の斜めになった隅部は、約１０度ないし約８０度の隅部角度αを形成しており、両方の隅部角度は、ほぼ等しいことを特徴とする請求項１４に記載の受け皿。
【請求項１９】
前記受け皿は、紙、板、又は厚紙から成る素材を、前記受け皿の形に折り畳むことにより形成されることを特徴とする請求項１３に記載の受け皿。
【請求項２０】
前記側壁は、前記側壁の前記高さを越えて突出するパネルを含むことを特徴とする請求項１３に記載の受け皿。
【請求項２１】
前記側壁は、前部側壁と、後部側壁と、右側壁と、左側壁とを含み、前記側壁の前記高さを越えて突出するパネルは、前記前部側壁及び後部側壁の両方の上に配置されることを特徴とする請求項１３に記載の受け皿。
【請求項２２】
前記パネルの上部縁は、曲線形状であることを特徴とする請求項２０に記載の受け皿。
【請求項２３】
各々のパネルの上部縁は、曲線形状であることを特徴とする請求項２１に記載の受け皿。
【発明の詳細な説明】
【技術分野】
【０００１】
顔用ティッシュディスペンサーなどの消費製品の包装においては、幾つかの包装済み製品を互いに束ねるか又は梱包して結束パックを形成することが望ましい場合がある。結束パックは、１つの便利な大きい梱包又は束として、包装済み製品を分類するために使用されることが多い。結束パックを形成するための１つの方法は、受け皿に包装済み製品を置き、収縮ラップで包むか、或いは受け皿内に個々の包装済み製品を固定することである。
【０００２】
受け皿の設計においては、主に受け皿の床設置面又は面積を最小にすることに関心が向けられることが多い。この目的は、受け皿の製造費用を節約し、更に個々の梱包を可能な限り最小の空間に梱包することにより、結束パックの運搬費を節約することである。受け皿を小さくさせることで、更に小売店で物品を貯蔵するために必要な棚空間が減少する。これは、ある梱包済み製品及び結束パックには望ましいことであるが、魅力的な図形を有する梱包済み製品、斬新なデザインの梱包済み製品、又は特異な形状を有する梱包済み製品にとっては、問題となりうる。
【０００３】
「高級指向の」又はより高価な梱包済み製品にとっては、消費者の購買意欲は、個々の梱包自体の魅力によってだけでなく、魅力的梱包内の製品によって駆り立てられることがある。これらの高級指向の梱包済み製品は、時節的なもの、蒐集的なもの、又は制限された限定生産品のものである。このような場合には、消費者が結束パック内の個々の梱包済み製品の特定の部分を、特に１つの型より多い図案又は図形が、結束パック内の各々の梱包上に配置されているかどうかを観察することができることが重要である。このようにすると、消費者は、自分達が最も好む図案の分類を、結束パックが含むかどうかを見ることができる。
【０００４】
したがって、束内の各々の個々の梱包済み製品の特定の部分が観察できるような、受け皿又は結束パックが必要である。運搬費及び製造費を節約するために、結束パックにより利用される空間の量を、最小にするような受け皿又は結束パックが、更に必要である。
【発明の開示】
【発明が解決しようとする課題】
【０００５】
上記した必要性は、受け皿の中央縦軸線に対して角度を持って配列させた製品を有する、複数の梱包済み製品を保持する受け皿によって満たされることを、発明者は見出した。梱包済み製品を受け皿内である角度だけ回転させた状態にすると、個々の包装済み製品の図形の特定の部分が観察できる状態にしながら、結束パック及び受け皿の大きさ全体を最小にすることができる。これは消費者に、個々の包装済み製品の正面を観察しやすくさせるが、個々の包装済み製品の縦軸が完全に回転して、受け皿の前側部及び後側部に平行に位置決めされる場合より、受け皿及び結束パックは、あまり空間を必要としない。
【０００６】
このように、一態様においては、本発明は、底部、側壁、及び受け皿の縦軸線を有する受け皿と、各々が製品の縦軸線と製品の横軸線を有し、該受け皿内に配置される複数の包装済み製品とを含む結束パックにあり、該複数の包装済み製品の各々は、各々の製品の縦軸線が、受け皿の縦軸線に対して製品角度αを形成するように、受け皿に角度を持って置かれる。本発明の別の態様は、底部及び側壁を含む受け皿にあり、該底部は、実質的に長方形であり、少なくとも１つの斜めになった隅部を有する。
【０００７】
本発明の上記した形態及び他の特性、態様、及び利点は、以下の説明、添付された特許請求の範囲、及び図面に関して、更に理解されるであろう。
【０００８】
明細書及び図面に繰り返して使用される参照番号は、本発明の同一の又は類似した特性又は要素を表わすものである。
【発明を実施するための最良の形態】
【０００９】
本説明は、例示的実施形態のみの説明であり、本発明の更に広い態様を制限するものではなく、広い態様は、例示的構成において実現されることを、当業者は理解すべきである。
【００１０】
図１−５を参照すると、顔用ティッシュディスペンサーなどの、複数の包装済み製品２２を含む結束パック２０が示されている。結束パック２０は、受け皿２４を含み、受け皿２４内に包装済み製品２２を収容するために収縮形成ラップ２６を含むことができる。図４に見られるように、受け皿２４は、受け皿縦軸線２８と受け皿横軸線３０を有する。図３に見られるように、受け皿内の各々の包装済み製品は、製品縦軸線３２と製品横軸線３４を有する。図３及び５に見られるように、包装済み製品２２は、製品縦軸線３２が、受け皿の縦軸線２８に対して製品角度αだけ回転させた状態で、受け皿２４内に配置される。
【００１１】
製品角度αは、製品の図形をよりよく示すために、各々の製品の正面３６を多く示すことと、結束パック２０の全体の長さをなるだけ小さくすることの間で妥協するように調整される。一般的には、製品角度αが大きくなると、結束パックの長さは減少するが、同時に各々の製品の正面３６は、図２の透視図からあまり見えなくなる。製品角度αが９０度の場合は、中間部の包装済み製品２２のほとんどは外側の２つの包装済み製品により、よく見えなくなる。しかしながら、受け皿の縦軸線２８に沿った受け皿の長さは、最も小さくなる。反対に、製品角度αが小さくなると、製品の正面３６は見えるようになるが、結束パックの長さ全体は、著しく増加する。製品角度αが０度の場合は、各々の包装済み製品２２の正面３６全体は見ることができるが、受け皿２４は、その長さが最も長くなる。各々の製品の正面３６が見えて、受け皿の大きさを最小にするという妥協を図るために、様々な実施形態においては、製品角度αは、約１０度ないし約８０度、又は約３０度ないし約６０度、又は約４０度ないし約５０度とすることができる。
【００１２】
受け皿２４は、あらゆる数の包装済み製品２２を収容するように使用することができ、包装済み製品は、多くの異なる形状を有することができる。例えば、包装済み製品２２は、及び特定の製品の側壁においては、四角、長方形、楕円、円弧状端部を有する平坦な前部と平坦な後部を有する競技場トラック、又は他の形状とすることができる。一般的には、受け皿内の製品の角度方向の回転は、製品の縦軸線３２に沿った長い寸法と製品の横軸線３４に沿った短い寸法を有する製品に最も適している。しかしながら、製品の２つの別個の面を示すために、四角の側壁に対して製品を回転することが望ましい。
【００１３】
受け皿内の包装済み製品２２は、受け皿の縦軸線２８に沿って重なる方法で配列することができ、図１に示されるように、１つの包装済み製品の正面３６は、次の包装済み製品の後面により部分的によく見えなくなる。代替的には、包装済み製品は、受け皿の縦軸線２８に沿って、点対点接触状態で配列することができ、１つの包装済み製品の隅部、側部、又は縁部は、次の包装済み製品の隅部、側部、又は縁部に当接する。このような配列は、各々のディスペンサーの側壁であるすべての４つの面を見ることができるように、真っ直ぐな顔用ティッシュディスペンサーなどの四角の側壁を有する包装済み製品にとって、望ましいものである。
【００１４】
受け皿内の包装済み製品２２の数は、受け皿２４に収容される包装済み製品２２の個々の大きさ、及び望ましい受け皿の全体の大きさによって変えることができる。一般的には、受け皿内の包装済み製品２２の数は、２ないし約２０、又は２ないし約１０、又は２ないし約５とすることができる。包装済み製品２２の個々の大きさに応じて、受け皿内に単一列又は多列で収容することができる。一般的には、収縮形成ラップ２６を通して製品の正面３６の一部及び後面の両方を見ることができるように、単一列の包装済み製品２２を有することが好ましい。他の実施形態においては、特に小さい包装済み製品に対しては、包装済み製品は、受け皿の縦軸線２８に沿って、２列、３列、４列、又は５列に配列することができる。
【００１５】
受け皿内の包装済み製品２２は、包装済み製品の上部と底部を相互係合するなどの適当な方法により、包装済み製品の列の間に一片の厚紙などの積み重ね層を使用して、又は包装済み製品の第二列及び交互の列を、下の列と反対の方向に回転させて、別の製品の上部に製品を積み重ねることができる。包装済み製品は、包装済み製品の個々の大きさに応じて、受け皿の底部上に２列、３列、又はそれより多い列で積み重ねることができる。代替的には、包装済み製品の単一の高さを有する２、３、又はそれより多い受け皿を積み重ねて、次に包装済み製品を含む積み重ねられた多数の受け皿のグループ全体を、ラップで収縮形成、又は他の方法で互いに固定されて、結束パック２０を形成することができる。
【００１６】
受け皿２４により収容された包装済み製品２２は、大型量販店、雑貨店、安売り店、及び同様のものにより販売されることが多い、あらゆる数の消費製品とすることができる。特に好まれる製品は、単一の又は制限された使用回数での使い棄て製品を含む包装又はディスペンサーである。このような製品は、濡れ拭き布、顔用ティッシュ、紙タオル、紙ナプキン、及び他のシート状基体を収容するディスペンサーとすることができる。手袋、顔用マスク、顔清浄用パッド、タンポン、失禁用パッド、及び衛生用ナプキンなどの他の使い棄て製品は、個々の製品ディスペンサー２２に配置することができる。タンポン、失禁用パッド、及び衛生用ナプキンのための個別のディスペンサーを、魅力的で個別包装したものとし、カウンターの上又は他の表面上に置くことができるようにすることは、特に重要である。
【００１７】
結束パックは、濡れ拭き布のディスペンサーとナプキン又はタオルのティスペンサーといった、異なる包装済み製品の組み合わせを保持することができる。結束パックは、旅行用又はミニサイズの製品と普通サイズ又はファミリー用サイズの製品などの同じ包装済み製品の異なる大きさを組み合わせることができる。一実施形態においては、包装済み製品２２は、楕円側壁を有し、複数の顔用ティッシュシートを収容する顔用ティッシュディスペンサーであった。ディスペンサーは、製品の縦軸線に沿っておよそ６インチ、製品の横軸線に沿って４インチ、高さがおよそ５  ３／４インチであった。顔用ティッシュの他の形状のディスペンサー又は製品包装は、受け皿２４の中に配置することができる。
【００１８】
受け皿２４は、底部３８及び側壁４０を含む。受け皿は、射出成形するか、熱形成するか、又は素材４２（図５）から受け皿２４に組立てることができる。受け皿は、紙、板、厚紙、又はプラスチックなどの適当な低価格の使い棄て材料で形成することができる。代替的には、受け皿は、木材、金属、厚いプラスチック及び同様のものなど、より耐久性のある材料で形成することができる。
【００１９】
受け皿及び側壁の高さの適当な寸法は、包装済み製品の大きさ及び受け皿に収容される数に応じて、変えることができる。一般的には、受け皿は、受け皿の横軸線２８に沿った幅より長い、受け皿の縦軸線２８に沿った長さを有する。適当な長さの寸法は、約５インチないし約３０インチ、又は約９インチないし約１５インチとすることができる。適当な幅の寸法は、約３インチないし約１５インチ、又は約４インチないし約７インチとすることができる。一般的には、受け皿の側壁は、受け皿内に包装済み製品２２を保持している時に、より多くの各々の正面３６を見ることが可能なように、浅いものとするべきである。適当な側壁の高さの寸法は、約０．５インチないし約４インチ、又は約１インチないし約２インチとすることができる。
【００２０】
受け皿は、受け皿の縦軸線２８に対して製品角度αで包装済み製品２２を保持するように設計することができる。例えば、受け皿２４の底部３８は、包装済み製品を保持するために、適当な製品角度αの凹部を備えることができる。代替的には、受け皿は、底部３８から離れた位置にある頂部層又は上部層を有し、この層に孔又は切欠き部を形成して適当な製品角度αで包装済み製品を保持するように構成することができる。示された実施形態においては、受け皿２４は、実質的に、受け皿の縦軸線に対する隅部角度αで、包装済み製品を配列するように傾斜させた、少なくとも１つの隅部４４を有する長方形の底部３８を有する（図４）。
【００２１】
好ましい実施形態においては、受け皿は、実質的に同じ隅部角度αで包装済み製品を配列するように傾斜させた、２つの両側の隅部４４を有する長方形の底部を有する。隅部角度αは、前述した製品角度αの場合と同じ範囲とすることができる。受け皿は、前部側壁４１が右側壁４３と交わる隅部で、更に後部側壁４５が左側壁４７と交わる反対側の隅部で傾斜することができる。隅部４４だけを傾斜させるのではなく、受け皿の底部が平行四辺形になるように、受け皿の右側壁及び左側壁（４３、４７）全体を傾斜することが可能である。
【００２２】
図５を参照すると、受け皿２４に折り畳むことができる素材４２が示されている。又、参照のために、包装済み製品２２の楕円の輪郭が、底部３８上に破線で示されている。素材は、底部３８、後部内側側壁４６、後部外側側壁４８、右内側側壁５０、右外側側壁５２、左内側側壁５４、左外側側壁５６、前部内側側壁５８、及び前部外側側壁６０を含む。素材４２は、内側側壁と外側側壁との間に挿入するか、又は底部３８に切り込まれた複数のスロット６４に挿入するかのいずれかのために、複数のタブ６２を含む。素材は、又、複数の折り目または折り線６６を有する。素材４２を受け皿２４に形成するために、素材は切り取られて、折り線で折り畳まれる。タブは、内側側壁と外側側壁との間の適当な位置に、或いは形成された位置に素材を保持するように、スロットの中に挿入される。
【００２３】
見られるように、受け皿は、斜めになった隅部４４を除いて、周囲のほとんどは二重の厚さの側壁を有する。斜めになった隅部で単一厚さの側壁を有することにより、単一の大きい板原料片で、あまり無駄を出さないように効率性よくするために、素材を重ねることができる。二重側壁は、受け皿２４を一層強化し、変形に抵抗することを可能にさせる。望まれるならば、側壁４０全体は、二重又は三重の厚さとすることができるか、又は側壁は、単一の厚さとすることができる。当業者に知られているように、タブとスロットの替わりに、素材を受け皿に形成する他の方法を使用することができる。
【００２４】
側壁４０は、側壁４０の高さを越えて突出する少なくとも１つのパネル６８を含むことができ、側壁に視覚的関心を付加し、結束パック２０内の包装済み製品２２の商標又は特許名を記す目だった領域を形成することができる。パネルは、側壁４０のあらゆる部分に沿って配置することができるが、通常は、少なくとも前部側壁に沿って配置される。更に視覚的関心を付加するために、パネル６８の上部縁７０は、曲線とすることができ、パネル６８上に印刷された商標の一部に類似させることができる。
【００２５】
望まれるならば、結束パック２０が、貯蔵棚に置かれて、前部又は後部から見て同じように見えることができるように、別のパネル６８を、後部側壁に沿って配置することができる。この方法においては、受け皿２４及び／又は結束パック２０は、受け皿の縦軸線２８と受け皿の横軸線３０が交わる点に対して、１８０度回転対称とすることができる。１８０度回転対称は、各々のカード面の数値が１８０度回転させても、カード面の数値の図案が同じに見えるようになった、重ねたトランプカードにより喩えられる。１８０度回転対称は、結束パックを１つの特定の方向にだけ向くように方向付けることに注意を払うことなく、小売り棚に結束パックを貯蔵しやすくなるので、消費者に利点を与える。１つの特定の実施形態においては、受け皿内の包装済み製品の配置、包装済み製品の正面及び後面、及び２つのパネルの配置が、前又は後のいずれかから見ても、結束パック２０が、１８０度回転対称となるようにされた。
【００２６】
図６、７及び８を参照すると、受け皿２４内に複数の包装済み製品２２を収容する結束パック２０の別の実施形態が示されている。見られるように、受け皿２４は、受け皿の縦軸線２８に対して製品角度αで配置された２つの包装済み製品を含む。この実施形態は、包装済み製品が、正の製品角度（右の包装済み製品）及び負の製品角度（左の包装済み製品）の両方で配置されていることが、図１の実施形態と異なる。２つの包装済み製品だけが示されているが、該パターンは、あらゆる数の包装済み製品に対して繰り返すことができる。
【００２７】
受け皿２４は、実質的に、後部側壁４５が右側壁（４３）及び左側壁（４７）と交わるところで斜めになった、２つの後隅部４４を有する長方形の底部を有する。隅部は、負及び正の製品角度αで、包装済み製品を配列することを助けるように傾斜させる。このように、隅部角度αは、前述した製品角度αと同じ範囲とすることができる。隅部４４を傾斜させるだけでなく、受け皿の底部が台形となるように、受け皿の右及び左側壁（４３、４７）全体を傾斜させることが可能である。第一の実施形態に関して述べられたように、すべての可能な変更は、第二の実施形態で実現することができる。例えば、多数列、積み重ね、異なる大きさの製品、異なる形状の製品、受け皿の寸法、製品の角度、及び／又は隅部角度は、前に教示されたように変えることができる。
【００２８】
本発明の他の修正及び変更は、添付された特許請求の範囲により特定的に述べられている本発明の意図及び範囲から外れることなく、当業者により実施することができる。様々な実施形態の態様は、全体として又は部分的に入れ換えることができることが理解される。本明細書において上記したすべての引用文献、特許、又は特許出願は、一貫性がある範囲で引用によりここに組み入れられる。組み込まれた引用と本申請書との間に不一致又は矛盾がある場合は、本明細書に存在する情報が優先する。当業者が特許請求の範囲を実施することを可能にするために、例として与えられた先の説明は、本発明の範囲を限定するものとして解釈されるものではなく、本発明の範囲は、特許請求の範囲及びすべてのこれらの均等手段により定められる。
【図面の簡単な説明】
【００２９】
【図１】受け皿内に配置された包装済み製品ディスペンサーを有する結束パックの透視図である。
【図２】図１の結束パックの正面図である。
【図３】図１の結束パックの平面図である。
【図４】図１の結束パックの底面図である。
【図５】複数の包装を収容するための、受け皿に折り畳むことができる素材の図である。
【図６】受け皿内に配置された包装済み製品を有する結束パックの、第二実施形態の透視図である。
【図７】図６の結束パックの平面図である。
【図８】図６の結束パックの底面図である。
【符号の説明】
【００３０】
２０  結束パック
２２  包装済み製品
２４  受け皿
２６  収縮形成ラップ
２８  受け皿の縦軸線
３０  受け皿の横軸線
３２  製品の縦軸線
３４  製品の横軸線
３６  正面
３８  底部
４０  側壁
４２  素材
４４  隅部
【図１】
2009511368.tif 000003
【図２】
2009511368.tif 000004
【図３】
2009511368.tif 000005
【図４】
2009511368.tif 000006
【図５】
2009511368.tif 000007
【図６】
2009511368.tif 000008
【図７】
2009511368.tif 000009
【図８】
2009511368.tif 000010
【国際調査報告】
2009511368.tif 000011
2009511368.tif 000012
2009511368.tif 000013